(57)【要約】      （修正有）【課題】流通、販売、使用時にスペースを取らず、安価に製造可能で、従来品に比べて多くの内容物を収納できるなど、便利で安価な芳香剤等の包装袋を提供する。【解決手段】非通気性シート材料により作製された袋体１１の下辺部には使用時に開放される開口部１２が設けられ、袋体１１の内側の下辺部寄りには、下方へ向けて山状に折り曲げられた通気性のフィルターシート１４が取り付けられ、当該フィルターシート１４の上側には収納すべき内容物２の収容部１５が形成され、当該収容部１５より上辺側が封止され、当該封止部１６に袋体の吊下げ孔１７が明けられたことを特徴とする。前記開口部１２は、チャック１３により開閉自在としたり、切断により開放可能としたりすることができる。また、前記袋体１１の一部に、内容物交換用の開閉及び密閉可能な開閉口を設けることも推奨される。【選択図】図４
0003162278.tif 000002
【実用新案登録請求の範囲】
【請求項１】
非通気性シート材料により作製された袋体の下辺部には使用時に開放される開口部が設けられ、袋体の内側の下辺部寄りには、下方へ向けて山状に折り曲げられた断面Ｖ字形の通気性のフィルターシートがその上辺は袋体の内面に接合され、左右両側辺は袋体の両側辺の内面に接合された状態で取り付けられ、当該フィルターシートの上側には収納すべき内容物の収容部が形成され、当該収容部より上辺側が封止され、当該封止部に袋体の吊下げ孔が明けられたことを特徴とする、芳香剤等の収納のための包装袋。
【請求項２】
前記非通気性シート材料が柔軟な合成樹脂製であることを特徴とする、請求項１に記載の包装袋。
【請求項３】
前記非通気性シート材料が柔軟なラミネート材であることを特徴とする、請求項１に記載の包装袋。
【請求項４】
前記開口部にチャックを設けたことを特徴とする、請求項１〜３のいずれか１項に記載の包装袋。
【請求項５】
袋体の下端がシールされ、当該シール部と前記チャックとの間が切り裂き可能なよう構成されたことを特徴とする、請求項４に記載の包装袋。
【請求項６】
前記開口部を切断により開放可能としたことを特徴とする、請求項１〜３のいずれか１項に記載の包装袋。
【請求項７】
前記袋体の一部に、内容物交換用の開閉及び密閉可能な開閉口を設けたことを特徴とする、請求項１〜６のいずれか１項に記載の包装袋。
【考案の詳細な説明】
【技術分野】
【０００１】
本考案は、芳香剤や、脱臭剤、除湿剤、殺虫剤等々を入れて、販売、使用するのに適した包装袋に関する。
【背景技術】
【０００２】
従来、除湿剤や芳香剤等の容器として硬質のプラスチック製の置き型タイプのものが広く利用されているが、流通、販売時に嵩張り、使用後の廃棄時にも嵩張って不便であるという問題点があった。
かかる問題点を解決するため、例えば下記特許文献１には、店頭での陳列や流通時に多くのスペースを必要とせず、廃棄の際にも嵩張らず、使用時には開閉が容易な包装袋が開示されている。
然しながら、この特許文献１に記載の包装袋は、スタンディングタイプのものであるため、倒れないためには十分な底部面積と、相当の内容物の重量を必要とし、軽いポプリなどを入れて使用するには適していなかった。
また、下記特許文献２にも、上部開口に設けた気体通過性の天部フィルムを通じて、袋内の気化した内容物をその周辺に拡散させたり、あるいは周辺雰囲気から湿気、水分、臭気等を内容物へ吸収させることが可能な包装袋が開示されている。
この特許文献２に記載の包装袋も、スタンディングタイプのものとして構成した場合は、これが倒れないためには十分な底部面積と、相当重量の内容物の充填を必要とし、平袋として構成した場合には、上部開口が閉じやすいため、内容物の拡散効果や、周辺雰囲気からの湿気等の吸収効果が低下しやすいという問題点があった。
【先行技術文献】
【特許文献】
【０００３】
【特許文献１】特開２００８−０８１１７９号公報
【特許文献２】特開２００４−３５９２９２号公報
【考案の概要】
【考案が解決しようとする課題】
【０００４】
本考案は、上記の如き従来品の問題点を解決するためなされたものであり、その目的とするところは、置き型のもののように流通、販売、使用時にスペースを取らず、安価に製造可能で、従来品に比べて多くの内容物を収納でき、また、芳香剤等の小売用の袋をそのまま使用時の袋とすることができるなど、便利で安価な芳香剤等の包装袋を提供することにある。
【課題を解決するための手段】
【０００５】
上記の目的を達成するために本考案に係る包装袋は、非通気性シート材料により作製された袋体の下辺部には使用時に開放される開口部が設けられ、袋の内側の下辺部寄りには、下方へ向けて山状に折り曲げられた断面Ｖ字形の通気性のフィルターシートがその上辺は袋体の内面に接合され、左右両側辺は袋体の両側辺の内面に接合された状態で取り付けられ、当該フィルターシートの上側には収納すべき内容物の収容部が形成され、当該収容部より上辺側が封止され、当該封止部に袋体の吊下げ孔が明けられたことを特徴とする。
【０００６】
前記非通気性シート材料としては一般的には柔軟な合成樹脂製のものが使用されるが、内容物が高度の気密性や遮光性を必要とする場合には、柔軟なラミネート材を用いることも可能である。
前記開口部は、チャックにより開閉自在としたり、或いはまた、切断により開放可能としたりすることができる。
更にまた、前記袋体の一部に、内容物交換用の開閉及び密閉可能な開閉口を設けることも推奨される。
【考案の効果】
【０００７】
上記の如き構成を有する本考案に係る包装袋によるときは、硬質プラスチック製の置き型容器のように流通、販売、使用時にスペースを取ることがなく、袋内部に設けた通気性のフィルターシートは下方へ向けて山状に折り曲げられているため、従来品よりも多くの内容物を収納でき、使用時には下辺部を開口し、上辺側の封止部に設けた吊下げ孔を利用して壁等にぶら下げることにより、小売用の袋をそのまま使用時の袋とすることができるので、便利で安価な芳香剤等の包装袋を提供し得るものである。
【図面の簡単な説明】
【０００８】
【図１】本考案に係る包装袋の内容物充填前の正面図及び側断面図である。
【図２】図１中の矢符Ｐで示す部分の拡大図である。
【図３】図２中のＱ−Ｑ線に沿った断面図である。
【図４】図１に示した包装袋の内容物充填後の正面図及び側断面図である。
【図５】本考案に係る包装袋の内容物充填前から使用時までの経過を段階的に示す側断面図である。
【図６】内容物交換のための開閉口を設けた例を示す側断面図である。
【考案を実施するための形態】
【０００９】
図１〜図４に示すように、本考案に係る包装袋１は、非通気性シート材料により作製された袋体１１から成り、その両側辺はシール部１１ｂにより閉じられ、図示した実施例においては、下端部もシール部１１ａにより閉じられている。
袋体１１の下辺部には使用時に開放される開口部１２が設けられ、図示した実施例においては、切り裂き口１１ｃから下のシール部１１ａを点線１１ｄに沿って切り離すことにより、チャック１３によって開口部１２が開閉可能となるように構成されている。
また、袋体１１の内側の下辺部寄りには、下方へ向けて山状に折り曲げられた断面Ｖ字形の通気性のフィルターシート１４が、図２に拡大して示す如く、その上辺１４ｂに沿って袋体１１の内面に溶着等により接合された状態で取り付けられている。フィルターシート１４の左右両端部１４ｃは、図３に示すように、袋体１１の前記両側辺のシール部１１ｂと共にシールされている。
フィルターシート１４の上側には芳香剤等の内容物２の収容部１５が形成され、ここに芳香剤等を入れた後は、図４に示すように、この収容部１５より上辺側の領域は、袋体１の表裏両面が全面的に封止されるようになっている。
更に、このようにして形成された封止部１６には、袋体１１の吊下げ孔１７が明けられ、使用時には袋体１１を壁に打ち付けた釘やフックに引っ掛けて吊り下げることができるようになっている。
【００１０】
袋体１１を作製するための非通気性シート材料は、通常は柔軟な合成樹脂であり、例えばポリ塩化ビニール、ポリエステル、ポリエチレン、ポリプロピレン、酢酸ビニル共重合体、等々が好適に利用できるが、必ずしもこれらに限定されるものではなく、非通気性で素材同士或いはフィルターシート１４をそれ自身に熱溶着或いは貼着できると共に、チャック１３を形成若しくは溶着でき、チャック１３を開いて開口部１２を開拡できる柔軟性を有していれば足りる。
更にまた、袋体１１内に収納される内容物２が特に気密性や遮光性を必要とする場合には、袋体１１を柔軟なラミネート材で作製することも可能である。例えば、アルミ箔の両面に合成樹脂層を形成したようなラミネート材を用いることが可能である。
【００１１】
なお、図示した実施例においては、前記シール部１１ａを切り取った後、開口部１２をチャック１３により開閉可能とすることにより、開封が容易で、かつ開封端がきれいに揃い、使用時において外観上見苦しくない構成となるよう配慮してあるが、開口部１２の構成はこれに限定されるものではなく、単に鋏やカッター或いは手で切断し、開封するように構成してもよい。
【００１２】
本考案においては、袋体１１の内部に設けられる通気性のフィルターシート１４を、図示する如く下方へ向けて山状の断面Ｖ字形に折り曲げた状態で取り付けたため、その上側の収容部１５の容積は、フィルターシート１４が上方へ向けて折り曲げられている場合よりも大きく、そのため、従来品より多くの芳香剤等の内容物２を収納できる。
なお、通気性を有するフィルターシート１４としては、天然繊維又は合成繊維から成る織布、不織布、紙、網、さらには通気性プラスチックシート等を用いることができる。ここで、天然繊維としては、綿、麻、羊毛などが好適であり、合成繊維としては、ナイロン、アクリル、ポリエステル、ポリエチレン、ビスコースレーヨン、アセテートなどが好適である。
更にまた、フィルターシート１４として、薄いプラスチックシートに、図示したような小孔１４ａを多数形成したものを用いてもよい。
要するに、フィルターシート１４としては、通気性を有するものであればあらゆる素材を用いることが可能であり、袋体１１に収納すべき内容物２の特性や袋体１１との接合特性等に応じて、適した素材を選択するものである。
【００１３】
袋体１１の収容部１５に収納すべき内容物２としては、芳香剤、芳香材、脱臭剤、脱臭材、除湿剤、殺虫・殺菌剤等々が考えられ、本願ではこれらを総称して「芳香剤等」と称している。
また、芳香剤等の種類も、液体のようにフィルターシート１４を通過してしまうもの以外であれば、その形態や材料に限定はなく、ジェルのようなゼリー状のものから、ビーズ状のものや、顆粒状のもの、ポプリや削った香木片のような乾燥自然物、粉末、等々さまざまな形態のものを使用できる。
【００１４】
次に、図５を参照しつつ、本考案に係る包装袋の内容物充填前から使用時までの経過を説明する。
図５（ａ）に示す如く、内容物の充填前における本考案に係る包装袋１の袋体１１は、その下辺側の前記シール部１１ａ及び開口部１２のチャック１３は閉じられると共に、上辺側は閉じられていない開放状態にある。この開放された上端側から芳香剤等の内容物２を袋体１１内に入れると、図５（ｂ）に示す如く、内容物２はフィルターシート１４の上側の収容部１５に貯留される。
内容物２を所定量充填した後、図５（ｃ）に示す如く、収容部１５より上辺側を熱溶着或いは貼着等の手段で封止して、封止部１６を形成し、芳香剤等の内容物２を袋体１１の内部に気密に封入する。
次いで、図５（ｄ）に示すように、上記封止部１６に袋体１１の吊下げ孔１７を明けて、製品を完成する。
使用時には、図５（ｅ）に示すように、前記シール部１１ａを切り取った後、チャック１３を開くことにより開口部１２を開放し、袋体１１の両側を押して開口部１２を開拡させると共に、袋体１１の下半部を膨らませると、収容部１５内の内容物２の重量や、内容物自身の弾力によって開口部１２の開拡状態が維持される。
従って、吊下げ孔１７を用いて袋体１１を室内の壁面等に吊り下げておくと、芳香剤の芳香成分等、内容物２の成分はフィルターシート１４を通過して、開口部１２から外部へ放出されることになる。
また、内容物２が除湿剤や吸着性の脱臭剤の場合には、外部の空気が開口部１２及びフィルターシート１４を通じて袋体１１内へ侵入し、内容物２に接触して吸湿や脱臭が行われる。
【００１５】
本考案に係る包装袋は、通常は使い捨てを想定しているが、特別の思い出や愛着の生じる可能性のある袋（例えば、土産物、キャラクター表示品など）で、長期間の継続使用が想定され、内容物が例えばビーズ状薬剤やポプリのように交換可能なものの場合には、内容物を新たなものに交換するための開閉口を袋体１１に設けておくようにしてもよい。その場合の開閉口は、開閉及び密閉可能な構造とするものである。
即ち、例えば図６に示すように、袋の表側若しくは裏側に袋体１１の一部を開閉できるフラップ部１８ａを設け、ここを開くことにより、開閉口１８が形成されるように構成するものである。フラップ部１８ａを開き、内容物２を新たなものと交換した後、フラップ部１８ａを閉じると、フラップ部１８ａの裏面若しくは袋本体側の開閉口隣接部１８ｂの表面に塗布した粘着剤によりフラップ部１８ａと開閉口隣接部１８ｂとが密着して、再び袋の気密性が確保されるものである。
【００１６】
なお、本考案に係る包装袋は、袋体１１の表面の一部又は全体に模様や図柄、或いはキャラクターを印刷したり、内容物２が見えるように全体又は一部が透明な袋体を用いたり、更にまた、袋体１１の外形は、図示したような矩形のみならず、キャラクターその他の各種オブジェクトの形状等とすることも可能である。
【産業上の利用可能性】
【００１７】
本考案は以上のように構成したので、流通、販売、使用時にスペースを取ることがなく、袋内部に設けた通気性のフィルターシートは下方へ向けて山状に折り曲げられているため、従来品よりも多くの内容物を収納でき、使用時には下辺部を開口し、上辺側の封止部に設けた吊下げ孔を利用して壁等にぶら下げることにより、小売用の袋をそのまま使用時の袋として利用することができるので、便利で安価な芳香剤等の包装袋を提供し得るものである。
【符号の説明】
【００１８】
１    包装袋
１１  袋体
１２  開口部
１３  チャック
１４  フィルターシート
１４ａ  小孔
１５  収容部
１６  封止部
１７  吊下げ孔
１８  開閉口
２    内容物
【図１】
0003162278.tif 000003
【図２】
0003162278.tif 000004
【図３】
0003162278.tif 000005
【図４】
0003162278.tif 000006
【図５】
0003162278.tif 000007
【図６】
0003162278.tif 000008